【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
ワイヤレス充電システムと共に使用するように構成されたソースレゾネータであって、
駐車場の地表に配置するように構成されたベースと、
前記ベースを覆う凸状のカバーであって、内部に空洞部を画定するカバーと、
前記空洞部に配置された第１のワイヤコイルであって、当該第１のワイヤコイルから離間した第２のワイヤコイルに磁気エネルギーを送るように構成されている第１のワイヤコイルとを備えており、
前記凸状のカバーの頂点の高さは、前記第２のワイヤコイルが取り付けられた自動車の地上高よりも低い、ソースレゾネータ。
【請求項２】
請求項１に記載のソースレゾネータにおいて、
前記自動車の前記地上高は、１０ｃｍ乃至２５ｃｍである、ソースレゾネータ。
【請求項３】
請求項１に記載のソースレゾネータにおいて、
前記凸状のカバーは一体のピースとして形成されている、ソースレゾネータ。
【請求項４】
請求項１に記載のソースレゾネータにおいて、
前記凸状のカバーは、アーチ形状を有することを特徴としている、ソースレゾネータ。
【請求項５】
請求項１に記載のソースレゾネータにおいて、
前記凸状のカバーは、三角形の面を４つ有することを特徴としており、当該三角形の面は、それぞれアーチ状の側を２つずつ有している、ソースレゾネータ。
【請求項６】
請求項１に記載のソースレゾネータにおいて、
前記凸状のカバーは、互いに対向する台形の面を２つ有し、当該２つの台形の面にそれぞれ隣接し互いに対向する三角形の面を２つ有することを特徴とする、ソースレゾネータ。
【請求項７】
請求項６に記載のソースレゾネータにおいて、
前記凸状のカバーは、互いに対向する矩形の面を２つ有し、当該２つの矩形の面にそれぞれ隣接し互いに対向する三角形の面を２つ有することを特徴とする、ソースレゾネータ。
【請求項８】
請求項１に記載のソースレゾネータにおいて、
前記凸状のカバーは、当該凸状のカバーを破損させることなく、前記自動車の一つのタイヤによって付与される力を支持するのに十分な強度を有する材料から形成されている、ソースレゾネータ。
【請求項９】
請求項１に記載のソースレゾネータにおいて、
前記凸状のカバーは、構造発泡材から形成されている、ソースレゾネータ。
【請求項１０】
請求項１に記載のソースレゾネータにおいて、
前記凸状のカバーに置かれる金属製の物体の検出と、前記凸状のカバーに付与される圧力の検出とから選択される状態のうちの少なくとも一つを検出するように構成されたセンサーをさらに備える、ソースレゾネータ。
【請求項１１】
捕捉レゾネータを有する自動車のバッテリーをワイヤレスで充電するように構成されたワイヤレス充電システムであって、
請求項１０に記載のソースレゾネータを備えており、
当該充電システムは、前記状態のうちの少なくとも一つが前記センサーによって検出されると前記バッテリーの充電をワイヤレスで停止する、無線充電システム。
【請求項１２】
請求項１に記載のソースレゾネータにおいて、
前記凸状のカバーと前記自動車の下側との間の空間は、犬が当該空間に侵入できないほど狭い、ソースレゾネータ。
【請求項１３】
請求項１２に記載のソースレゾネータにおいて、
前記凸状のカバーと前記自動車の下側との間の空間は、猫が当該空間に侵入できないほど狭い、ソースレゾネータ。
【請求項１４】
請求項１に記載のソースレゾネータにおいて、
前記凸状のカバーは、ソーダ缶が当該凸状のカバーから滑り落ちるような形状をしている、ソースレゾネータ。
【請求項１５】
請求項１に記載のソースレゾネータにおいて、
前記凸状のカバーは、レンチが当該凸状のカバーから滑り落ちるような形状をしている、ソースレゾネータ。
【請求項１６】
請求項１に記載のソースレゾネータにおいて、
前記凸状のカバーと前記自動車の下側との間の距離は、約２ｃｍである、ソースレゾネータ。
【手続補正２】
【補正対象書類名】明細書
【補正対象項目名】００４０
【補正方法】変更
【補正の内容】
【００４０】
〔００５５〕
本発明の使用範囲及び用途が広いということは当業者には容易に理解されよう。本発明の、上文中に説明した以外の多くの実施例及び適合並びに多くの変形、変更、及び均等物は、本発明及び以上の説明から、本発明の要旨又は範囲から逸脱することなく、明らかになるであろう、又は合理的に提案されるであろう。従って、本発明をその好ましい実施例と関連して本明細書中に詳細に説明したが、本開示は本発明の単なる例示であって、単に本発明の完全であり且つ可能性のある開示を提供する目的で提供されたものであるということは理解されるべきである。以上の開示は、本発明を限定しようとするものではなく、又は限定するものと解釈されるべきではなく、即ち任意のこのような他の実施例、適合、変更、変形、均等な構成を除外しようとするものではなく、又は除外するものと解釈されるべきではなく、本発明は、添付の特許請求の範囲及びその均等物のみによって限定される。
本発明は下記のように構成してもよい。
［態様１］
充電システム（ＥＣＳ）において、
ドーム状ハウジングを持つ装置を含み、
前記ハウジングは、複数の高さに配置された複数の点を持つ外面を含み、前記複数の点のうちの少なくとも一つの点が第１高さを有し、前記複数の点の他の点が前記第１高さよりも低い夫々の高さを有する、ＥＣＳ。
［態様２］
態様１に記載のＥＣＳにおいて、
前記外面は複数のセグメント面を含み、これらのセグメント面は、夫々、前記複数の点のうちの前記少なくとも一つの点から外方に遠ざかる方向に垂下している、ＥＣＳ。
［態様３］
態様１に記載のＥＣＳにおいて、
前記ハウジングは一体のピースとして形成されている、ＥＣＳ。
［態様４］
態様１に記載のＥＣＳにおいて、
前記ドーム状ハウジングは第１ハウジング部分であり、前記装置は、更に、前記第１ハウジング部分と形状が異なる第２ハウジング部分を含み、前記第１ハウジング部分は、前記装置の周囲を包囲するように前記第２ハウジング部分に連結されるように形成されている、ＥＣＳ。
［態様５］
態様１に記載のＥＣＳにおいて、
前記ドーム状ハウジングは第１ハウジング部分であり、前記装置は、更に、第２ハウジング部分を含み、少なくとも前記第１ハウジング部分は誘電体で形成されている、ＥＣＳ。
［態様６］
態様１に記載のＥＣＳにおいて、
前記ハウジングは、前記ハウジングに加えられる質量を支持するのに十分に強い材料で形成されており、前記質量は、前記ハウジングを乗り越える自動車と関連した少なくとも一つのタイヤである、ＥＣＳ。
［態様７］
態様１に記載のＥＣＳにおいて、
前記装置はトランスジューサを含む、ＥＣＳ。
［態様８］
態様７に記載のＥＣＳにおいて、
前記トランスジューサは、更に、
前記ハウジングに設けられたセンサを含む、ＥＣＳ。
［態様９］
態様１に記載のＥＣＳにおいて、
前記ＥＣＳは、エネルギ貯蔵デバイス（ＥＳＤ）を充電するように形成されており、前記ＥＣＳが前記ＥＳＤを充電するとき、前記センサは、
（ｉ）前記ハウジング上に置かれた金属製の物体の検出、及び
（ｉｉ）前記ハウジングの外部から前記ハウジングに加えられた圧力の検出のうちの少なくとも一方に基づいて作動され、
前記ＥＣＳが前記バッテリーの充電を停止する、ＥＣＳ。
［態様１０］
態様１に記載のＥＣＳにおいて、
前記ＥＣＳは、自動車に配置されたエネルギ貯蔵デバイス（ＥＳＤ）の充電と関連している、ＥＣＳ。
［態様１１］
態様１に記載のＥＣＳにおいて、
自動車は車台を含み、前記自動車は、前記車台が地表面から間隔が隔てられるように地表面上に配置され、前記車台は、前記ハウジングの少なくとも一部の上に置かれるように形成されており、そのため、前記車台が前記ハウジングの前記少なくとも一部の上に置かれたとき、少なくとも前記ドーム状ハウジングが前記車台の下の空間を埋め、
（ｉ）異物、及び
（ｉｉ）動物のうちの少なくとも一方が前記空間に入らないようにする、ＥＣＳ。
［態様１２］
エネルギ貯蔵デバイス（ＥＳＤ）を充電するための充電システム（ＥＣＳ）において、
ドーム状ハウジングを含む、地表面上に配置されるように形成された第１トランスジューサと、
第２トランスジューサとを備え、該第２トランスジューサは、前記地表面に対して間隔が隔てられているように配置されており、また、第２トランスジューサは、前記第１トランスジューサが前記地表面上に配置されたとき、前記第１トランスジューサに関して間隔が隔てられるように形成されており、前記第２トランスジューサは、更に、前記第１トランスジューサからエネルギを受け取るように形成されており、
前記ハウジングは、複数の高さに配置された複数の点を持つ外面を含み、前記複数の点のうちの少なくとも一つの点が第１高さを有し、前記複数の点の他の点が前記第１高さよりも低い夫々の高さを有する、ＥＣＳ。
［態様１３］
態様１２に記載のＥＣＳにおいて、
前記第２トランスジューサは自動車に配置されており、前記ドーム状ハウジングは、前記第１トランスジューサが前記地表面に配置されたとき、前記第２トランスジューサの外面と向き合って間隔が隔てられているように形成されている、ＥＣＳ。
［態様１４］
態様１２に記載のＥＣＳにおいて、
前記第１トランスジューサは、第１ハウジング部分と、第２ハウジング部分とを備えており、前記ドーム状ハウジングは、誘電体で形成された第１ハウジング部分であり、前記第２ハウジング部分は非誘電体から形成されており、
前記第２トランスジューサの少なくとも一部が、前記地表面上に配置された前記第１トランスジューサの上に置かれたとき、誘電体は前記非誘電体と前記第２トランスジューサとの中間に配置される、ＥＣＳ。